(57)【要約】      （修正有）【課題】オーバーパンツなどとして使用される脚カバーにおいて、ムレを抑える。【解決手段】雨合羽との組合わせで好適に使用される脚カバー１において、ファスナーで展開して、筒状の脚カバー本体２を使用者６の脚部６３に巻付けられるようにする。そして、その筒状の脚カバー本体２を、使用者６の肩部６７，６８から垂下させた懸架用紐体３によって吊下げる。懸架用紐体３は、前記肩部６７，６８に襷掛けの係止部３１と、その係止部３１において、使用者６の脇の下６６から垂下する垂下部３３とによって構成する。したがって、使用者６の股８１の内側から下腹部８２および臀部は露出しており（カバーに覆われておらず）、ムレを防ぐことができる。また、雨合羽やジャンパーなどの上着との組合わせは任意となり、傷んだ場合の交換も別途に行うことができる。【選択図】図１
2019094575.tif 000002
【特許請求の範囲】
【請求項１】
使用者の脚部を保護する脚カバーにおいて、
左右の脚部をそれぞれ覆う筒状に形成され、その筒が少なくとも１箇所において展開可能な一対の脚カバー本体と、
一端が前記使用者の肩部に係止し、垂下した他端が前記脚カバー本体に連結される懸架用紐体とを含むことを特徴とする脚カバー。
【請求項２】
前記各脚カバー本体には、前記筒の頂部付近において、前記使用者の体側部と大腿四頭筋の内側との２箇所から、前記懸架用紐体に連結される吊下げ用紐体が延びて形成されることを特徴とする請求項１記載の脚カバー。
【請求項３】
前記懸架用紐体は、襷状に前記使用者の左右両肩に係止する係止部と、左右の係止部の脇の下付近から垂下する垂下部とを含むことを特徴とする請求項１または２記載の脚カバー。
【請求項４】
前記吊下げ用紐体と懸架用紐体との間は、一対の嵌着片によって連結されることを特徴とする請求項２記載の脚カバー。
【請求項５】
前記垂下部には、該垂下部の長さ調整を行うアジャスターを備えることを特徴とする請求項３記載の脚カバー。
【請求項６】
前記筒の頂部付近の２箇所から延びる前記吊下げ用紐体は、１本の紐体で形成され、その１本の紐体の途中に、該１本の紐体上を移動可能な連結部材によって、前記懸架用紐体に連結されることを特徴とする請求項２または４記載の脚カバー。
【請求項７】
少なくとも前記吊下げ用紐体は、伸縮性を有することを特徴とする請求項２、４または６記載の脚カバー。
【請求項８】
使用者の脚部を保護する脚カバーにおいて、
左右の脚部をそれぞれ覆う筒状に形成され、その筒が少なくとも１箇所において展開可能な一対の脚カバー本体と、
前記使用者の腹部に巻付けられる支持用紐体と、
前記各脚カバー本体の筒の頂部付近から延び、前記支持用紐体に連結される吊下げ用紐体とを含むことを特徴とする脚カバー。
【請求項９】
前記吊下げ用紐体は、１本の紐体で形成されてその両端部が前記脚カバー本体に連結されるとともに、該１本の紐体の途中に、該１本の紐体上を移動可能な連結部材が設けられ、該連結部材は、垂下部を介して前記支持用紐体に連結されることを特徴とする請求項８記載の脚カバー。
【請求項１０】
前記請求項３における係止部および前記請求項８における支持用紐体として共用可能な吊り部材を備える脚カバーであって、
前記吊り部材は、相互に略等しい一対の紐体から成り、
前記各紐体は、
前記使用者の身体に巻付く紐体本体と、
前記各紐体本体において、一方の端部に取付けられる雌の嵌着片および他方の端部に取付けられる雄の嵌着片と、
前記各紐体本体の略中間位置において、一方の紐体本体に取付けられる雌の係止片および他方の紐体本体に取付けられる雄の係止片とを備え、
前記一対の紐体の嵌着片を互いに連結するとともに、前記係止片を相互に係止することで、前記襷状に前記使用者の左右両肩に係止する係止部を構成し、
前記一対の紐体の一方のみを使用して、その嵌着片を連結することで、前記使用者の腹部に巻付けられる支持用紐体を構成することを特徴とする脚カバー。
【請求項１１】
前記紐体本体は、帯状体から成り、
前記雌雄の嵌着片は、前記帯の表裏が一致した状態でのみ相互に嵌着することを特徴とする請求項１０記載の脚カバー。
【請求項１２】
前記雌雄の係止片は、一方が前記帯の表側、他方が前記帯の裏側に設けられることを特徴とする請求項１１記載の脚カバー。
【請求項１３】
前記請求項１〜１２の何れか１項に記載の脚カバーを備えることを特徴とする雨合羽。
【発明の詳細な説明】
【技術分野】
【０００１】
本発明は、釣りや自転車に乗車する際に好適に利用され、オーバーパンツなどとしてズボンの上に穿かれるなどして、風雨、汚れ、寒さなどから、使用者の脚部を保護する脚カバーに関し、好適には雨合羽と併用、たとえばセット販売されるのに関する。
【背景技術】
【０００２】
上記のような脚カバーを備える雨合羽は、特許文献１で提案されている。それによれば、筒状の脚カバーの左右の側を上着の裏側に縫い付けるとともに、脚カバーは上に折り畳んで胸から腹の辺りに収納するようにし、使用時は下に垂らして、展開状態から内股部分をファスナーで止めることで筒にして、脚をカバーするようになっている。こうして、日常的に違和感なく着衣できるととともに、歩行中や二輪車走行中の降雨に、座った状態でも、迅速かつ容易に、全身及び靴までカバーできる完全雨具としてのレインコートが提案されている。
【先行技術文献】
【特許文献】
【０００３】
【特許文献１】特開２０１０−３７７０５号公報
【発明の概要】
【発明が解決しようとする課題】
【０００４】
上述の特許文献１は、脚カバーまで雨合羽に内蔵して、必要な時は直ちに、靴を脱がなくても、脚カバーを装着できるようにした点で、優れている。しかしながら、上述のように、筒状の脚カバーの左右の側を上着の裏側に縫い付けているので、展開した脚カバーを脚に巻き付け、ファスナーを閉めて筒状にすると、前記縫い付けてある部分で、上着（雨合羽）は使用者に密着する。このため、特に気温の高い夏季には、使用者の下腹部から臀部が、ムレて不快であるという問題がある。
【０００５】
本発明の目的は、ムレ難い脚カバーならびにそれを備える雨合羽およびジャンパーを提供することである。
【課題を解決するための手段】
【０００６】
本発明の脚カバーは、使用者の脚部を保護する脚カバーにおいて、左右の脚部をそれぞれ覆う筒状に形成され、その筒が少なくとも１箇所において展開可能な一対の脚カバー本体と、一端が前記使用者の肩部に係止し、垂下した他端が前記脚カバー本体に連結される懸架用紐体とを含むことを特徴とする。
【０００７】
上記の構成によれば、オーバーパンツなどとしてズボンの上に穿かれるなどして、風雨、汚れ、寒さなどから、使用者の脚部を保護する脚カバーにおいて、その脚カバーを、通常のズボンのように、靴を脱いで両脚を通して装着するのではなく、左右の脚部をそれぞれ覆う筒状の脚カバー本体を、少なくとも１箇所において軸方向に分離して周方向に展開可能として、靴を脱ぐこと無く、脚に巻き付けて、装着できるようにする。そして、その脚カバー本体の吊下げにあたって、使用者の肩部から懸架用紐体を垂下させる。
【０００８】
したがって、使用者の股の内側から下腹部および臀部は露出しており（カバーに覆われておらず）、ムレを防ぐことができる。また、脚カバー本体の吊下げを、使用者の肩部に係止した、たとえば紐または帯状の懸架用紐体で行うので、雨合羽やジャンパーなどの上着との組合わせは任意となり、組合わせの制約が無く、傷んだ場合の交換も別途に行うことができる。さらにまた、使用者がジャケットなどの上着を着用していれば、肩部からの懸架用紐体は該上着で覆い隠されるので、屋外内への出入りに対して、懸架用紐体は装着したままで、それと脚カバー本体とを、連結／解放することで、該脚カバー本体を容易に着脱することができる。
【０００９】
また、本発明の脚カバーでは、前記各脚カバー本体には、前記筒の頂部付近において、体側部と大腿四頭筋の内側との２箇所から、前記懸架用紐体に連結される吊下げ用紐体が延びて形成されることを特徴とする。
【００１０】
上記の構成によれば、前記筒状の脚カバー本体の頂部付近で、周方向に間隔を開けた２箇所から、吊下げ用紐体を延ばして前記懸架用紐体に連結するので、１箇所で吊下げを行った場合に生じるような、斜めの引っ張り上げによる内側のズボンの捲り上がりや、脚の動きが規制（動かし難い）されるようなことが少なくなる。また、その２箇所の吊下げを、体側部と大腿四頭筋の内側とで行う、すなわち大腿四頭筋を挟んで内外で行うことで、脚の動きによる該脚カバー本体の周方向の回転を、起こり難くすることができる。
【００１１】
さらにまた、本発明の脚カバーでは、前記懸架用紐体は、襷状に前記使用者の左右両肩に係止する係止部と、左右の係止部の脇の下付近から垂下する垂下部とを含むことを特徴とする。
【００１２】
上記の構成によれば、襷掛けの係止部や、脇の下付近から垂下する垂下部は、前述のように、使用者が上着を着用していれば覆い隠されるので、好適である。また、たとえば前記吊下げ用紐体を短く形成して該垂下部の下端が比較的短距離で脚カバー本体に連結されるようにして、該垂下部を比較的長く形成することで、該垂下部の下端側をスカートの中を通すことができ、使用者がスカートを着用している場合にも、脚カバー本体を着用することができる。さらにまた、係止部は、襷掛けすることで、ズボン吊り（サスペンダー）のように肩からずり落ちる可能性も少なく、装着感が良くなる。
【００１３】
また、本発明の脚カバーでは、前記吊下げ用紐体と懸架用紐体との間は、一対の嵌着片によって連結されることを特徴とする。
【００１４】
上記の構成によれば、嵌着片の部分で、連結／解放を行うことができる。
【００１５】
したがって、前記上着を着用する場合、脚カバー本体の着脱のために、上着を脱いだり着たりする必要が無くなり、前記屋外内への出入りが頻繁な場合に好適である。
【００１６】
さらにまた、本発明の脚カバーでは、前記垂下部には、該垂下部の長さ調整を行うアジャスターを備えることを特徴とする。
【００１７】
上記の構成によれば、脚カバー本体の吊下げ高さを調整することができる。
【００１８】
したがって、脚の長さ（身長）の違いを、少ないサイズで対応することができ、脚カバーの低コスト化を図ることができる。
【００１９】
また、本発明の脚カバーでは、前記筒の頂部付近の２箇所から延びる前記吊下げ用紐体は、１本の紐体で形成され、その１本の紐体の途中に、該１本の紐体上を移動可能な連結部材によって、前記懸架用紐体に連結されることを特徴とする。
【００２０】
上記の構成によれば、吊下げ用紐体および懸架用紐体は、逆Ｙ字に配置されることになり、そのＹ字の２股の連結部分が、相互に行き来可能となっている。
【００２１】
したがって、装着時に連結部材の位置に偏りがあっても、歩いたり、或いは時間が経過することで、吊下げ用紐体の左右の寸法配分が適性になる。
【００２２】
さらにまた、本発明の脚カバーでは、少なくとも前記吊下げ用紐体は、伸縮性を有することを特徴とする。
【００２３】
上記の構成によれば、吊下げ用紐体、特に大腿四頭筋の内側の吊下げ用紐体が伸縮可能であることで、脚を後ろに蹴る際に該吊下げ用紐体が伸長し、脚の動きがスムーズになる。
【００２４】
また、本発明の脚カバーでは、使用者の脚部を保護する脚カバーにおいて、左右の脚部をそれぞれ覆う筒状に形成され、その筒が少なくとも１箇所において軸方向に展開可能な一対の脚カバー本体と、前記使用者の腹部に巻付けられる支持用紐体と、前記各脚カバー本体の筒の頂部付近から延び、前記支持用紐体に連結される吊下げ用紐体とを含むことを特徴とする。
【００２５】
上記の構成によれば、オーバーパンツなどとしてズボンの上に穿かれるなどして、風雨、汚れ、寒さなどから、使用者の脚部を保護する脚カバーにおいて、その脚カバーを、通常のズボンのように、靴を脱いで両脚を通して装着するのではなく、左右の脚部をそれぞれ覆う筒状の脚カバー本体を、少なくとも１箇所において軸方向に分離して周方向に展開可能として、靴を脱ぐこと無く、脚に巻き付けて、装着できるようにする。そして、その脚カバー本体の吊下げにあたって、ズボンやスカートのベルト位置、或いは高くても腹囲となる臍の位置位までの間で、支持用紐体を使用者の腹部に巻付け、その支持用紐体に、一対の脚カバー本体の頂部付近から延びた吊下げ用紐体を連結する。
【００２６】
したがって、使用者の股の内側から下腹部および臀部は露出しており（カバーに覆われておらず）、ムレを防ぐことができる。また、脚カバー本体の吊下げを、使用者の腹部に巻付けた支持用紐体に、脚カバー本体からの吊下げ用紐体を連結して行うので、雨合羽やジャンパーなどの上着との組合わせは任意となり、組合わせの制約が無く、傷んだ場合の交換も別途に行うことができる。
【００２７】
さらにまた、本発明の脚カバーでは、前記吊下げ用紐体は、１本の紐体で形成されてその両端部が前記脚カバー本体に連結されるとともに、該１本の紐体の途中に、該１本の紐体上を移動可能な連結部材が設けられ、該連結部材は、垂下部を介して前記支持用紐体に連結されることを特徴とする。
【００２８】
上記の構成によれば、吊下げ用紐体および垂下部は、逆Ｙ字に配置されることになり、そのＹ字の２股の部分が、相互に行き来可能となっている。
【００２９】
したがって、装着時に連結部材の位置に偏りがあっても、歩いたり、或いは時間が経過すると、吊下げ用紐体の左右の寸法配分が適性になる。また、前記吊下げ用紐体を短く形成して前記垂下部の下端が比較的短距離で脚カバー本体に連結されるようにして、該垂下部を比較的長く形成することで、該垂下部の下端側をスカートの中を通すことができ、使用者がスカートを着用している場合にも、脚カバー本体を着用することができる。
【００３０】
また、本発明の雨合羽は、前記の脚カバーを備えることを特徴とする。
【００３１】
上記の構成によれば、ムレ難い雨合羽を実現することができる。
【発明の効果】
【００３２】
本発明の脚カバーならびにそれを備える雨合羽は、以上のように、オーバーパンツなどとして使用される脚カバーにおいて、脚カバー本体は着脱のために展開可能な一対の筒状に形成し、その筒状の脚カバー本体は、たとえば紐や帯状の、懸架用紐体によって使用者の肩部から、或いは支持用紐体によって使用者の腹部から、それぞれ吊下げる。
【００３３】
それゆえ、使用者の股の内側から下腹部および臀部は露出しており（カバーに覆われておらず）、ムレを防ぐことができる。
【図面の簡単な説明】
【００３４】
【図１】本発明の実施の一形態に係る脚カバーの使用方法を説明するために前記脚カバーを使用者が着用した状態の正面図である。
【図２】前記脚カバーを使用者が着用した状態の側面図である。
【図３】前記脚カバーを使用者が着用した状態の背面図である。
【図４】前記脚カバーを雨合羽と共に使用者が着用した状態の正面図である。
【図５】前記脚カバーの吊下げ状況を説明する斜視図である。
【図６】前記脚カバーの吊下げ状況を説明する斜視図である。
【図７】本発明の実施の他の形態に係る脚カバーの使用方法を説明するために前記脚カバーを使用者が着用した状態の正面図である。
【図８】図７で示す脚カバーを使用者が着用した状態の側面図である。
【図９】本発明の実施の他の形態に係る脚カバーに用いられる吊り部材の一使用例での斜視図である。
【図１０】前記吊り部材の他の使用例での斜視図である。
【発明を実施するための形態】
【００３５】
（実施の形態１）
図１は本発明の実施の一形態に係る脚カバー１の使用方法を説明するために前記脚カバー１を使用者６が着用した状態の正面図であり、図２は側面図であり、図３は背面図であり、図４は前記脚カバー１を雨合羽５と共に使用者６が着用した状態の正面図である。脚カバー１は、好適には、図４で示すように、雨合羽５と併用され、たとえば釣りや２輪車（自転車、バイク）運転の際に使用することができる。そして、本実施形態の脚カバー１は、使用者６が靴７を脱ぐこと無く、必要に応じて、装着する（穿く）ことができものである。図４の例では、雨合羽５は、中央部に形成された開口部５１から、使用者６の頭部６１を出して被る、いわゆるポンチョの形態のものであるが、通常の簡易のレインコートのように、前開きで、釦やファスナーで閉じるような形態のものでもよい。或いは、本発明は、雨合羽５ではなく、厚手の生地で、防寒機能などを備えたジャンパーなどと併用されてもよく、このように本発明の脚カバー１は、上着との組合わせを選ばない。
【００３６】
本実施形態の脚カバー１は、好適には、上記雨合羽５やジャンパーなどの上着に組合わせて使用され、オーバーパンツなどとして、ズボン８の上に穿かれるなどして、風雨、汚れ、寒さなどから、使用者６の脚部６３を保護するものである。雨合羽５において、使用者６の頭部６１を保護するフード５２や、頚部６２を覆うタートルネック５３は、適宜設けられていればよい。雨合羽５の裾５４には、左右の脚部６３の間で、前後を連結する釦などの係止部材５９が設けられており、これを止めることで、前記２輪車乗車時に、風圧による裾５４の捲り上がりを防止できるようになっている。
【００３７】
本実施形態の脚カバー１は、使用者６の脚部６３（ズボン８）を通す左右一対の脚カバー本体２と、それを使用者６の体から吊下げる懸架用紐体３とを備えて構成される。  脚カバー本体２は、使用者６の太股６４から足首６９付近の脚部６３を覆う筒状に形成される。そして、その筒が少なくとも周方向の１箇所（本実施形態では１箇所のみ）において、ファスナー１４によって、軸方向に分離することで、周方向に展開して装脱可能に構成されている。これによって、使用者６は、上着である雨合羽５を着たままで、しかも自転車のサドルなどに腰掛けたまま、靴７を脱ぐこと無く、脚部６３に巻き付けて、当該脚カバー１を装着できるようになっている。
【００３８】
特に、ファスナー１４は、図５で示すように、上（太股６４）側に連結基端１４１を設け、下（踝）側に向けてスライダー１４２（図４図示）をずらしてエレメント（務歯）を閉じてゆくようにすると、煩雑になりがちな装着作業を、容易にできる。こうして、ファスナー１４を使用することで、展開していた脚カバー本体２を簡単に筒状にすることができるとともに、連結部分の気密性を高め、風雨の侵入を抑えることもできる。
【００３９】
そして、本実施形態では、その筒状の左右一対の脚カバー本体２を、懸架用紐体３によって、使用者６の体から吊下げる。詳しくは、本実施形態では、その懸架用紐体３を、襷状に使用者６の左右両肩部６７，６８にそれぞれ係止する係止部３１と、係止部３１の脇の下６６付近から垂下する垂下部３３とを備えて構成する。これに対応して、各脚カバー本体２には、筒の頂部付近において、体側部６０と大腿四頭筋の内側６５との２箇所から、垂下部３３に連結される吊下げ用紐体２１，２２が延びて形成される。本実施形態では、吊下げ用紐体２１，２２は、１本の紐体２０で形成され、その紐体２０の途中に、該紐体２０上を移動可能な連結部材２３によって、垂下部３３に連結される。
【００４０】
紐体２０側の前記連結部材２３は、垂下部３３の下端に設けられた連結部材３５に嵌め込まれ、相互に嵌着する。連結部材３５に設けられたリリース釦３５１をプッシュ操作することで、連結部材２３を連結部材３５から切離すことができる。前記１本の紐体２０で、一方の吊下げ用紐体２２の先端には、連結部材２４が設けられており、この連結部材２４は、前記筒の頂部付近において、大腿四頭筋の内側６５に縫い付けられている連結部材２５と、前記連結部材２３，３５と同様な構成で、連結／解放自在となっている。同様に、前記１本の紐体２０で、他方の吊下げ用紐体２１の先端には、連結部材２６が設けられており、この連結部材２６は、前記筒の頂部付近において、体側部６０に縫い付けられている連結部材２７と、連結／解放自在となっている。本実施形態では、連結部材２４には、吊下げ用紐体２２を折返して、適宜長さ調整可能なフリーストップのアジャスターが設けられており、その長さ調整によって、脚カバー本体２の吊下げ高さを調整することができる。
【００４１】
連結部材２４，２５；２６，２７に代えて、吊下げ用紐体２１，２２の先端に、所謂サスペンダーにおけるクリップのように、脚カバー本体２の上部を内外から挟み込んで、吊下げる部品を設けるようにしてもよい。その場合、脚カバー本体２側には、連結部材２５，２７などは何ら設けられず、該脚カバー本体２は、展開可能な筒状に形成されるだけでよい。
【００４２】
図１や図２において、使用者６の左脚について示すように、連結部材２４，２５；２６，２７は、それらが設けられず、吊下げ用紐体２２，２１（２０）の端部が、直接、脚カバー本体２の上部に縫い付けられてもよい。その場合、吊下げ用紐体２１，２２下端部が、直接、脚カバー本体２にそれぞれ縫い付けられ、吊下げ用紐体２１，２２間の連結部分に、アジャスターが設けられるようにしてもよい。この吊下げ用紐体２２，２１（２０）は、伸縮性を有する材料から成ることが好ましい。そうすることで、使用者６が脚部６３を後ろに蹴る際に該吊下げ用紐体２２，２１（２０）が伸長し、脚部６３の動きがスムーズになる。
【００４３】
また、本実施形態では、吊下げ用紐体２２，２１（２０）は、帯状体から成るけれども、断面が円柱状の紐から構成されてもよい。しかしながら、帯状体の場合、連結部材２４，２５；２６，２７との連結が容易であり、好ましい。詳しくは、帯状体の端部を、連結部材２４，２５；２６，２７の連結孔に通して折返し、縫い合わせることで連結を行うことができ、円柱状の紐であれば、縫い合わせに技術を要する。
【００４４】
垂下部３３については、下端に前記連結部材３５が取付けられる吊下げ用紐体３３１と、図６で示すように、吊下げ用紐体３３１の上端に連結される取付け片３３２と、それらを連結する連結部材３３３と、吊下げ用紐体３３１に設けられるアジャスター３３４とを備えて構成される。吊下げ用紐体３３１の上端側は、環状の連結部材３３３を通して折返され、さらにアジャスター３３４を通して折返され、縫い合わせられている。連結部材３３３には、取付け片３３２も挿通しており、その取付け片３３２の両端部に設けられた釦３３５が相互に係止することで、該取付け片３３２が環状になり、使用者６の脇の下６６付近で、係止部３１に係止する。吊下げ用紐体３３１および取付け片３３２も、断面が円柱状の紐から構成されてもよく、また伸縮性を有する材料から形成されてもよい。
【００４５】
係止部３１は、肩掛け用紐体３１１と、図６で示す連結部材３１２と、図１で示すアジャスター３１３とを、２組備えて構成される。そして、一方の組の肩掛け用紐体３１１の一端部は、アジャスター３１３で折返されて縫い合わせられて、該端部にアジャスター３１３が設けられ、他端側は連結部材３１２を通して再びアジャスター３１２を通った後、他方の組の連結部材３１２を通して縫い合わせられる。こうして、２組の肩掛け用紐体３１１は環状に成り、途中が、図３で示すようにＸ字状となるように縫い合わせられることで、該係止部３１は、前記襷掛け可能となっている。そして、アジャスター３１２による長さ（体格）調整とともに、肩掛け用紐体３１１が伸縮可能な材料から成ることで、使用者６の動きが容易になる。この肩掛け用紐体３１１も、断面が円柱状の紐から構成されてもよい。
【００４６】
以上のように、本実施形態の脚カバー１は、使用者６の脚部６３は筒状の脚カバー本体２で覆い、その脚カバー本体２を使用者６肩部６７，６８から垂下させた懸架用紐体３によって吊下げる。これによって、使用者６の股８１の内側から下腹部８２および臀部８３は露出しており（カバーに覆われておらず）、ムレを防ぐことができる。また、雨合羽５やジャンパーなどの上着との組合わせは任意となり、組合わせの制約が無く、傷んだ場合の交換も別途に行うことができる。さらにまた、使用者６がジャケットなどの上着を着用していれば、肩部６７，６８からの懸架用紐体３は該上着で覆い隠されるので、屋外内への出入りに対して、懸架用紐体３は装着したままで、それと脚カバー本体２とを、連結／解放することで、該脚カバー本体２を容易に着脱することができる。
【００４７】
また、本実施形態の脚カバー１は、筒状の脚カバー本体２の頂部付近で、周方向に間隔を開けた２箇所から、吊下げ用紐体２１，２２を延ばして懸架用紐体３に連結するので、１箇所で吊下げを行った場合に生じるような、斜めの引っ張り上げによる内側のズボン８の捲り上がりや、脚部６３の動きが規制（動かし難い）されるようなことが少なくなる。また、その２箇所の吊下げを、体側部６０と大腿四頭筋の内側６５とで行う、すなわち大腿四頭筋を挟んで内外で行うことで、脚部６３の動きによる脚カバー本体２の周方向の回転を、起こり難くすることができる。
【００４８】
さらにまた、本実施形態の脚カバー１は、懸架用紐体３を、襷状に使用者６の左右両肩部６７，６８に係止する係止部３１と、その係止部３１の脇の下６６付近から垂下する垂下部３３によって構成するので、それらは、使用者６が上着を着用していれば覆い隠されるので、脚カバー本体２の脱着の際に該係止部３１を脱着する必要が無くなり、屋外内への出入りが頻繁な場合に好適である。そして、吊下げ用紐体２１，２２を短く形成して垂下部３３の下端が比較的短距離で脚カバー本体２に連結されるようにして、該垂下部３３を比較的長く形成することで、該垂下部３３の下端側をスカートの中を通すことができ、使用者６がスカートを着用している場合にも、脚カバー本体２を着用できるようになる。さらにまた、係止部３１は、襷掛けすることで、ズボン吊り（サスペンダー）のように肩部６７，６８からずり落ちる可能性も少なく、装着感が良くなる。
【００４９】
そして、吊下げ用紐体２１，２２と懸架用紐体３の垂下片３３１との間は一対の嵌着片２３，３５によって連結されるので、この嵌着片２３，３５の部分で連結／解放を行うことができ、上述のように上着を着用する場合、脚カバー本体２の着脱のために、上着を脱いだり着たりする必要が無くなり、前記屋外内への出入りが頻繁な場合に好適である。
【００５０】
さらにまた、本実施形態の脚カバー１では、垂下部３３には、その長さ調整を行うアジャスター３３４を備えているので、脚カバー本体２の吊下げ高さを調整することができ、脚部６３の長さ（身長）の違いを、少ないサイズで対応することができ、脚カバー１の低コスト化を図ることができる。
【００５１】
また、本実施形態の脚カバー１では、吊下げ用紐体２１，２２は１本の紐体２０で形成され、その１本の紐体２０の途中に該１本の紐体２０上を移動可能な連結部材２３を設け、懸架用紐体３の垂下部３３に連結している。したがって、吊下げ用紐体２１，２２および垂下部３３は逆Ｙ字に配置されることになり、そのＹ字の２股の連結部分が相互に行き来可能になるので、装着時に連結部材２３の位置に偏りがあっても、歩いたり、或いは時間が経過することで、吊下げ用紐体２１，２２の左右の寸法配分が適性になり、好ましい。
（実施の形態２）
図７は本発明の実施の他の形態に係る脚カバー４の使用方法を説明するために前記脚カバー４を使用者６が着用した状態の正面図であり、図８は側面図である。この脚カバー４は、上述の脚カバー１に類似し、対応する部分には同一の参照符号を付して、その説明を省略する。この脚カバー４は、脚カバー１における、吊下げ用紐体２１，２２を備える同一の脚カバー本体２を備えるとともに、新たに、支持用紐体４０を備えて構成される。支持用紐体４０は、懸架用紐体３における垂下部３３を備えるとともに、係止部３１に代えて、使用者６の腹部８４に巻付けられる紐体本体４１が用いられることを特徴としている。
【００５２】
詳しくは、垂下部３３については、懸架用紐体３と同様であるが、吊下げ位置が肩部６７，６８から腹部８４に下がる関係で、吊下げ用紐体３３１が短くなっている。紐体本体４１は、ズボン８やスカートのベルト位置、或いは高くても腹囲となる臍の位置位までの間に巻付けられる。そして、紐体本体４１に、釦３３５を止めることで環状になった前記取付け片３３２が取付くことで、垂下部３３から吊下げ用紐体２１，２２を介して、脚カバー本体２が吊下げられる。紐体本体４１の一端にはアジャスター付きの嵌着片４２が取付けられ、他端側の嵌着片４３と相互に嵌着することで、該紐体本体４１は前記腹部８４に係止される。
【００５３】
このように構成してもまた、本実施形態の脚カバー４は、ムレを防ぐことができるとともに、雨合羽５やジャンパーなどの上着と任意に組合わて使用することができる。
（実施の形態３）
図９は本発明の実施の他の形態に係る脚カバーに用いられる吊り部材９の一使用例での斜視図であり、図１０は他の使用例での斜視図である。注目すべきは、この吊り部材９は、前述の脚カバー１に用いられる係止部３１と、上述の脚カバー４に用いられる支持用紐体４０として、共用可能となっていることである。残余の垂下部３３や、吊下げ用紐体２１，２２（２０）を備えた脚カバー本体２は、脚カバー１，４と同様である。この吊り部材９は、相互に略等しい一対の紐体９１，９２から構成される。
【００５４】
各紐体９１，９２は、使用者６の身体に巻付く紐体本体９１１，９２１と、各紐体本体９１１，９２１において、一方の端部に取付けられる雌の嵌着片９１２，９２２および他方の端部に取付けられる雄の嵌着片９１３，９２３と、前記各端部を折返して取付けられるアジャスター９１４，９１５；９２４，９２５と、係止片９１６，９２６とを備えて構成される。本実施形態では、各紐体本体９１１，９２１の実際の端部は、嵌着片９１２，９１３；９２２，９２３で折返されて、アジャスター９１４，９１５；９２４，９２５に連結されているが、紐体本体９１１，９２１が充分な伸縮性を有する場合、アジャスター９１４，９２４と９１５，９２５との一方または両方が省略され、紐体本体９１１，９２１の端部に嵌着片９１２，９１３；９２２，９２３が直接取付けられていてもよい。そして、各紐体本体９１１，９２１の略中間位置には、係止片９１６，９２６が設けられている。係止片９１６，９２６の、一方は雌で、他方は雄で、相互に係止する。
【００５５】
このように構成することで、図９で示すように、一対の紐体９１，９２の嵌着片９１２，９１３と９２３，９２２とを互いに連結するとともに、係止片９１６，９２６を相互に係止することで、襷状に使用者６の左右の肩部６７，６８に係止する係止部３１を構成することができる。また、図１０で示すように、一対の紐体９１，９２の一方のみを使用して、その嵌着片９１２，９２２と９１３，９２３とを連結することで、使用者６の腹部８４に巻付けられる支持用紐体４０を構成することができる。こうして、脚カバー本体２とセットとする吊り部材９を１種類として、品数を減らすことができるとともに、使用者６は、状況に応じて、脚カバー本体２の吊り方を選択することができる。
【００５６】
本実施形態では、紐体本体９１１，９２１は帯状体から成るけれども、断面が円柱状の紐状体であってもよい。しかしながら、その帯状体であることで、一対の釦から成る係止片９１６，９２６や嵌着片９１２，９１３；９２２，９２３の取付けが容易であるとともに、アジャスター９１４，９１５；９２４，９２５の構造も簡略化することができる。
【００５７】
そして、紐体本体９１１，９２１が帯状体から成る場合、雌雄の嵌着片９１２，９２２；９１３，９２３は、帯の表裏が一致した状体でのみ相互に嵌着することが好ましい。そうすることで、着用時に不快な、帯の捻れの発生を抑えることができる。また、紐体本体９１１，９２１が帯状体から成る場合、図９で示すように、雌雄の係止片９１６，９２６は、一方が帯の表側、他方が帯の裏側に設けられることが好ましい。そうすることで、左右の係止部３１のどこかで捻れるので、使用者６の体に帯（の面）が沿うので、装着感が良くなる。一方、捻れが無ければ、帯の角が体に立ち、装着感が悪くなる。
【００５８】
本実施形態の吊り部材９は、襷状の係止部３１としては、ズボン８を吊下げるサスペンダーとして使用されたり、腹部８４に巻付けられる支持用紐体４０としては、ウエストポーチを吊下げるために用いられたり等、脚カバー本体２の吊下げ以外にも好適に用いることができる。その場合の吊り部材は、
相互に略等しい一対の紐体から成り、
前記各紐体は、
使用者の身体に巻付く紐体本体と、
前記各紐体本体において、一方の端部に取付けられる雌の嵌着片および他方の端部に取付けられる雄の嵌着片と、
前記各紐体本体の略中間位置において、一方の紐体本体に取付けられる雌の係止片および他方の紐体本体に取付けられる雄の係止片とを備え、
前記一対の紐体の嵌着片を互いに連結するとともに、前記係止片を相互に係止することで、該一対の紐体は襷状に前記使用者の左右両肩に係止することができ、
前記一対の紐体の一方のみを使用して、その嵌着片を連結することで、該紐体は前記使用者の腹部に巻付けられ、
前記紐体で任意の装身具を吊下げることを特徴とする。
【符号の説明】
【００５９】
１      脚カバー
１４    ファスナー
２    脚カバー本体
２０    紐体
２１，２２    吊下げ用紐体
２３〜２７    連結部材
３    懸架用紐体
３１    係止部
３１１  肩掛け用紐体
３１２  連結部材
３１３  アジャスター
３３    垂下部
３３１  吊下げ用紐体
３３２  取付け片
３３３  連結部材
３３４  アジャスター
３３５  釦
３５    連結部材
３５１  リリース釦
４    脚カバー
４０    支持用紐体
４１    紐体本体
４２，４３    嵌着片
５    雨合羽
６    使用者
６０    体側部
６３    脚部
６４    太股
６５    大腿四頭筋の内側
６６    脇の下
６７，６８    肩部
６９    足首
７    靴
８    ズボン
８１    股
８２    下腹部
８３    臀部
８４    腹部
９    吊り部材
９１，９２    紐体
９１１，９２１    紐体本体
９１２，９１３；９２２，９２３    嵌着片
９１４，９１５；９２４，９２５    アジャスター
９１６，９２６    係止片
【図１】
2019094575.tif 000003
【図２】
2019094575.tif 000004
【図３】
2019094575.tif 000005
【図４】
2019094575.tif 000006
【図５】
2019094575.tif 000007
【図６】
2019094575.tif 000008
【図７】
2019094575.tif 000009
【図８】
2019094575.tif 000010
【図９】
2019094575.tif 000011
【図１０】
2019094575.tif 000012